(57)【要約】【課題】低背化を図ったコイル部品の提供。【解決手段】コア３を収容し略環状体を成すコアカバー４と、コアカバー４に巻回されてコイルを形成する第一、第二導線と、第一、第二導線の端部が連結される一対の端子台２１、２１と一対の端子台２１、２１を互いに接続する連結部２５とを有しコアカバー４が装着されるベース部２と、を備え、コアカバー４には、下面４１Ａから下側に突出し半径方向に延びる下側リブ部４２Ａを含んで構成される一対の導線仕切部４２が設けられ、下側リブ部４２Ａには、半径方向に延び連結部２５が係合する下側溝４２ａが形成され、連結部２５の下端縁はベース部２の下端部を成して下側リブ部４２Ａの下端部と略同一平面上に位置し、連結部２５の上端縁が下側溝４２ａ内に収容されてコアカバー４と係合し、連結部２５の上下方向の距離が下側溝４２ａの深さと略同一に構成される。【選択図】図４
2011066217.tif 000002
【特許請求の範囲】
【請求項１】
トロイダルコアと、
該トロイダルコアを収容し貫通孔が形成されて略環状体を成すコアカバーと、
該コアカバーに巻回されてそれぞれコイルを形成する複数の導線と、
該複数の導線のそれぞれの端部が連結される複数の端子台と該複数の端子台を互いに接続する連結部とを有し該コアカバーが装着されるベース部と、を備え、
該コアカバーには、該環状体の軸方向における一端面から該軸方向の一端側に突出し該環状体の半径方向に延びる一端側リブ部を含んで構成される導線仕切部が該導線の本数と同数設けられると共に、隣り合う該導線仕切部の間に一の該導線が巻回される導線巻回領域が規定され、
該一端側リブ部には、該半径方向に延び該連結部が係合する一端側溝が形成され、
該連結部は、該軸方向一端側の一端縁と該軸方向他端側の他端縁とを有し、該他端縁は該一端側溝内に収容されて該コアカバーと係合すると共に、該貫通孔内に延出され該貫通孔内において該導線仕切部と協働して複数の該導線巻回領域を区切る位置に配置される仕切板が該他端縁に設けられていることを特徴とするコイル部品。
【請求項２】
該一端縁は該ベース部の一端側端部を成して該一端側リブ部の突出方向の端部と略同一平面上に位置し、該一端縁から該他端縁までの距離が該一端側溝の深さと略同一若しくは短くなるように構成されることを特徴とする請求項１に記載のコイル部品。
【請求項３】
それぞれの該導線仕切部は、該コアカバーの該貫通孔を画成する内周面から該環状体の中心に向けて突出し該内周面において該軸方向に延びる内周リブ部を有し、
該仕切板は、該貫通孔内に延出される延出方向延び内周リブ部と係合する側縁を該導線仕切部の個数と同数有し、
該内周リブ部には、該軸方向に延び該仕切板の一の該側縁と係合する内周側溝が形成され、
それぞれの該端子台には該導線仕切部に対して一方の該導線巻回領域側と他方の該導線巻回領域側とに配置された一対の継線部を有し、
一の該導線は、一方の該導線巻回領域に巻回された状態で、一方の該導線巻回領域に隣り合う一の該端子台の一方の該導線巻回領域側に位置する該継線部と、一方の該導線巻回領域に隣り合う他の該端子台の一方の該導線巻回領域側に位置する該継線部と、にそれぞれ両端が継線されることを特徴とする請求項１または請求項２のいずれかに記載のコイル部品。
【請求項４】
該一端側リブ部は該連結部の該一端から該他端までの該距離と等しい突出量に成るように構成され、該一端側溝は該連結部の該一端から該他端までの該距離と等しい深さに形成されていることを特徴とする請求項１から請求項３のいずれか一に記載のコイル部品。
【請求項５】
該導線仕切部は、該コアカバーの該軸方向における他端面から該軸方向の他端側に突出し該半径方向に延びる他端側リブ部を有し、
該一端側リブ部の突出量は、該導線巻回領域の該一端面から、該導線巻回領域に巻回された該導線の該軸方向における一端までの距離と略等しくなるように構成され
該他端側リブ部の突出量は、該導線巻回領域の該他端面から、該導線巻回領域に巻回された該導線の該軸方向における他端までの距離と略等しくなるように構成されていることを特徴とする請求項１から請求項４のいずれか一に記載のコイル部品。
【請求項６】
該コアカバーは、該軸方向において一端側と他端側とが対称な形状に形成されていることを特徴とする請求項５に記載のコイル部品。
【請求項７】
該仕切板は、該貫通孔内に延出される延出方向の先端に、該延出方向と直交する方向に延びる端縁を有し、
該端縁と、該他端側リブ部の該軸方向他端側端部とは、同一平面に位置するように構成されていることを特徴とする請求項５または請求項６のいずれかに記載のコイル部品。
【請求項８】
該端子台において該連結部が接続される箇所には、該軸方向と直交する方向に並んで該連結部を間に挟んだ一対の掛止部が設けられ、
該コアカバーには、該一対の掛止部が掛止する被掛止部が設けられていることを特徴とする請求項１から請求項７のいずれか一に記載のコイル部品。
【請求項９】
該ベース部は、該複数の端子台の間を接続する接続部を該複数の端子台と同じ個数有し、
該複数の接続部は、それぞれ該コアカバーの該環状体に沿った円弧形状を成していることを特徴とする請求項１から請求項８のいずれか一に記載のコイル部品。
【請求項１０】
該導線仕切部は、該軸方向と直交する断面において、該環状体の中心から外側に向かう方向で徐々に幅拡になる形状を採ることを特徴とする請求項１から請求項９のいずれか一に記載のコイル部品。
【請求項１１】
該複数の端子台には、該導線が継線される継線部を有し、
該複数の導線は、それぞれ両端近傍が該継線部に継線されると共に、最端部分を実装基板に電気的に接続する実装端子として用いることを特徴とする請求項１から請求項１０のいずれか一に記載のコイル部品。
【発明の詳細な説明】
【技術分野】
【０００１】
本発明はコイル部品に関し、特にトロイダルコアを用いたラインフィルタとして使用されるコイル部品に関する。
【背景技術】
【０００２】
従来からトロイダルコアを用いたラインフィルタがあり、このラインフィルタの一例としては、特許文献１に示されるように、トロイダルコアを収容したコアカバーと、コアカバーに巻回される導線と、基板上に載置されるベース部とを備えており、ベース部にコアカバーが装着されて基板上にラインフィルタが実装されている。
【先行技術文献】
【特許文献】
【０００３】
【特許文献１】特開昭５８−２５０１５号公報
【発明の概要】
【発明が解決しようとする課題】
【０００４】
従来のラインフィルタでは、上述のように、ベース部上にコアカバーが装着される構成を採るため、ラインフィルタの高さがベース部の厚さとコアカバーの厚さとの和により定められていた。
【０００５】
また近年では、電子機器等の小型化が推進されているため、ラインフィルタであるコイル部品にも低背化が求められるが、上述の構成を採るラインフィルタでは、コアカバーの厚さが基板からの上背に含まれる分、低背化が図られていなかった。よって本発明は、低背化を図ったコイル部品を提供することを目的とする。
【課題を解決するための手段】
【０００６】
上記課題を解決するために本発明は、トロイダルコアと、トロイダルコアを収容し貫通孔が形成されて略環状体を成すコアカバーと、コアカバーに巻回されてそれぞれコイルを形成する複数の導線と、複数の導線のそれぞれの端部が連結される複数の端子台と複数の端子台を互いに接続する連結部とを有しコアカバーが装着されるベース部と、を備えたコイル部品を提供する。このコイル部品においてコアカバーには、環状体の軸方向における一端面から軸方向の一端側に突出し環状体の半径方向に延びる一端側リブ部を含んで構成される導線仕切部を導線の本数と同数設けられると共に、隣り合う導線仕切部の間に一の導線が巻回される導線巻回領域が規定され、一端側リブ部には、半径方向に延び連結部が係合する一端側溝が形成される。連結部は、軸方向一端側の一端縁と軸方向他端側の他端縁とを有すると共に、他端縁が一端側溝内に収容されてコアカバーと係合し、貫通孔内に延出され貫通孔内において導線仕切部と協働して複数の導線巻回領域を区切る位置に配置される仕切板が他端縁に設けられている。
【０００７】
この様な構成によると、一端側溝内に連結部を収容するため、コアカバーとベース部とが組み合わされて構成されるコイル部品の環状体軸方向における距離（上背）を小さく（低背化）することができる。
【０００８】
上記構成のコイル部品において、一端縁はベース部の一端側端部を成して一端側リブ部の突出方向の端部と略同一平面上に位置し、一端縁から他端縁までの距離が一端側溝の深さと略同一若しくは短くなるように構成されることが好ましい。
【０００９】
この様な構成によると、導線仕切部が設けられたコアカバーの一端側端部とベース部の一端側端部とが同一平面上にあるため、コアカバーとベース部とから構成されるコイル部品の一端側端部とコアカバーの一端側端部とを同一平面上とすることができる。よってコアカバーが装着されるベース部の厚さがコイル部品の上背に含まれることが無く、コイル部品の低背化を図ることができる。
【００１０】
またそれぞれの導線仕切部は、コアカバーの貫通孔を画成する内周面から環状体の中心に向けて突出し内周面において軸方向に延びる内周リブ部を有し、仕切板は、貫通孔内に延出される延出方向延び内周リブ部と係合する側縁を導線仕切部の個数と同数有し、内周リブ部には、軸方向に延び仕切板の一の側縁と係合する内周側溝が形成され、それぞれの端子台には導線仕切部に対して一方の導線巻回領域側と他方の導線巻回領域側とに配置された一対の継線部を有し、一の導線は、一方の導線巻回領域に巻回された状態で、一方の導線巻回領域に隣り合う一の端子台の一方の導線巻回領域側に位置する継線部と、一方の導線巻回領域に隣り合う他の端子台の一方の導線巻回領域側に位置する継線部と、にそれぞれ両端が継線されることが好ましい。
【００１１】
この様な構成によると、内周リブ部の内周側溝と仕切板の側縁とが係合する構成を採るため、連結部と一端側端との係合と相俟って、より確実にベース部にコアカバーを装着することができる。また、仕切板及び導線仕切部はそれぞれ異なる巻回領域に巻回された導線を仕切っているが、内周側溝に側縁を嵌めるように内周リブ部と仕切板とが係合するため沿面距離を稼ぐことができ、より確実に隣り合う導線間の絶縁を測ることができる。
【００１２】
また一端側リブ部は連結部の一端から他端までの距離と等しい突出量に成るように構成され、一端側溝は連結部の一端から他端までの距離と等しい深さに形成されていることが好ましい。
【００１３】
この様な構成によると、一端側リブ部の突出量を最適化することができ、一端側リブ部の一端面からの突出量を抑えられるので、コイル部品の低背化を図ることができる。
【００１４】
また導線仕切部は、コアカバーの軸方向における他端面から軸方向の他端側に突出し半径方向に延びる他端側リブ部を有し、一端側リブ部の突出量は、導線巻回領域の一端面から、導線巻回領域に巻回された導線の軸方向における一端までの距離と略等しくなるように構成され、他端側リブ部の突出量は、導線巻回領域の他端面から、導線巻回領域に巻回された導線の軸方向における他端までの距離と略等しくなるように構成されていることが好ましい。
【００１５】
この様な構成によると、導線仕切部が設けられたコアカバーの一端側から他端側までの距離を最大限短くすることができるので、コイル部品の低背化を図ることができる。
【００１６】
またコアカバーは、軸方向において一端側と他端側とが対称な形状に形成されていることが好ましい。
【００１７】
この様な構成によると、軸方向においてコアカバーに裏表がない構造を採ることができる。よって製造時にコアカバーの裏表を考慮する必要が無く、製造を簡略化することができる。
【００１８】
また仕切板は、貫通孔内に延出される延出方向の先端に、延出方向と直交する方向に延びる端縁を有し、端縁と、他端側リブ部の軸方向他端側端部とは、同一平面に位置するように構成されていることが好ましい。
【００１９】
この様な構成によると、仕切板がコアカバーより他端側に突出することが抑制されるので、コイル部品の低背化を更に図ることができる。
【００２０】
また端子台において連結部が接続される箇所には、軸方向と直交する方向に並んで連結部を間に挟んだ一対の掛止部が設けられ、コアカバーには、一対の掛止部が掛止する被掛止部が設けられていることが好ましい。
【００２１】
この様な構成によると、掛止部及び被掛止部がコイル部品から出っ張ることがない状態で、コアカバーをベース部に装着することができる。また端子台の連結部が接続される箇所に掛止部を設けることにより、被掛止部への掛止部の掛止する構成と一端側溝への連結部の係合とを相互補完させることができ、コアカバーのベース部への装着強度を増すことができる。
【００２２】
またベース部は、複数の端子台の間を接続する接続部を複数の端子台と同じ個数有し、複数の接続部は、それぞれコアカバーの環状体に沿った円弧形状を成していることが好ましい。
【００２３】
この様な構成によると、ベース部の強度を増すことができる。またコアカバーに沿って接続部が配置されるため、接続部によりコアカバーを保護することができる。
【００２４】
また導線仕切部は、軸方向と直交する断面において、環状体の中心から外側に向かう方向で徐々に幅広になる形状を採ることが好ましい。
【００２５】
この様な構成によると、コアカバーにおいて環状体の外周位置での絶縁距離を確実に確保することができる。
【００２６】
また複数の端子台には、導線が継線される継線部を有し、複数の導線は、それぞれ両端近傍が継線部に継線されると共に、最端部分を実装基板に電気的に接続する実装端子として用いることが好ましい。
【００２７】
この様な構成によると、新たに端子ピン等を設ける必要が無く、コイル部品の構造を簡略化することができる。
【発明の効果】
【００２８】
本発明のコイル部品によれば、低背化することができる。
【図面の簡単な説明】
【００２９】
【図１】本発明の実施の形態に係るコイル部品の斜視図。
【図２】本発明の実施の形態に係るコイル部品のベース部の斜視図。
【図３】本発明の実施の形態に係るコイル部品のコアカバーの（ａ）平面図、（ｂ）正面図、（ｃ）側面図。
【図４】図１のIV−IV線に沿ったコアカバーとベース部の断面図。
【図５】本発明の実施の形態の変形例に係るコイル部品の斜視図。
【発明を実施するための形態】
【００３０】
以下、本発明の実施の形態に係るコイル部品について、図１から図４に基づき説明する。図１に示されるコイル部品であるラインフィルタ１は、ベース部２と、コア３と、円環状体のコアカバー４と、第一導線５、第二導線６とから構成されている。以下の記述においては、円環状体を成すコアカバー４の中心軸Ｚが延びる方向を軸方向、中心軸Ｚの周回りを周方向として定義し、軸方向の一端側を下側、他端側を上側として説明する。
【００３１】
ベース部２は樹脂製であり、図２に示されるように、一対の端子台２１、２１と、一対の接続部２４、２４と、連結部２５と、仕切板２６と、一対の掛止部２７、２７とを主に備えて構成されている。またベース部２は、中心軸Ｚ周りに１８０°回転させた時に同一形状を採るように構成されている。
【００３２】
一対の端子台２１、２１はそれぞれ同形状を成しており、中心軸Ｚを挟んで反対位置にそれぞれ配置されている。同形状であるので、一方の端子台２１のみについて説明する。端子台２１は、側壁部２２と、平板部２３とから構成されている。側壁部２２は、軸方向に立設し、接続部２４の後述の円弧形状と同じ曲率半径を有する内面を含む壁から構成され、接続部２４と協働してコアカバー４が収容される収容空間２ａを形成している。また側壁部２２において内面の周方向の略中心位置であって軸方向における下端位置に連結部２５が接続されている。平板部２３は、側壁部２２の上端位置から軸方向と直交する方向であって中心軸から離間する方向に延出され、軸方向と直交する平面状に構成されている。また平板部２３の側壁部２２からの延出方向端部であって、軸方向及び延出方向と直交する方向における両端部近傍には、第一導線５の一端近傍と、第二導線６の他端近傍とがそれぞれ継線される継線部である第一継線用凹部２３ａ、第二継線用凹部２３ｂがそれぞれ形成されている。第一継線用凹部２３ａ、第二継線用凹部２３ｂは平板部２３の上面と下面とを貫通するようスリット状に軸方向と略平行に形成されており、第一導線５及び第二導線６が保持される位置の幅が第一導線５及び第二導線６の外形より僅かに小さくなるように形成されている。
【００３３】
一対の接続部２４、２４は、それぞれ一対の端子台２１、２１の間に介在し一の端子台２１と他の端子台２１とを接続している。具体的には、一の端子台２１の周方向一端及び他端に一の接続部２４と他の接続部２４とがそれぞれ接続され、他の端子台２１の周方向一端及び他端に他の接続部２４と一の接続部２４とがそれぞれ接続されている。接続部２４は、上下方向の幅が側壁部２２と同じであって側壁部２２と一体であり、中心軸Ｚを中心とする円弧状に構成され、端子台２１と協働してコアカバー４を収容する収容空間２ａを形成している。また図２及び図４に示されるように、接続部２４の下端縁は、側壁部２２の下端縁と同一平面上に位置するように構成されている。図２に示されるように、接続部２４の下端には中心軸Ｚに向けて突出する略環状のリブ２４Ａが一連に設けられている。リブ２４Ａは、周方向一端及び他端が、一の端子台２１の側壁部２２と他の端子台２１の側壁部２２まで延びている。リブ２４Ａを設けることにより、接続部２４の強度を増し、ベース部２の剛性を増している。
【００３４】
連結部２５は、中心軸Ｚと交わる位置を通過して軸方向と直交する方向に延出されて一の端子台２１と他の端子台２１とにそれぞれ接続され、延出される方向と直交する断面が軸方向を長辺とする長方形になるように構成されている。図４に示されるように、連結部２５において、下端縁は、側壁部２２、接続部２４の下端縁と同一平面上に位置するように構成され、下端縁から上端縁までの距離（連結部２５の軸方向長さ、以下連結部２５の高さと定義する）は、後述の下側溝４２ａ（図３（ｃ））の溝深さと略同一になるように構成されている。また連結部２５において、上述の断面における短辺方向の距離（以下、連結部２５の幅と定義する）は、後述の下側溝４２ａの幅と略等しくなるように構成されている。
【００３５】
仕切板２６は、一の端子台２１から他の端子台２１に向かう方向において略中央位置となる連結部２５の上端縁から上方に向けて延出し、連結部２５と一体に構成されている。仕切板２６の延出方向の先端に一の端子台２１から他の端子台２１に向かう方向であって延出方向と直交する方向に延びる端縁２６Ａが規定され、仕切板２６の端縁２６Ａの両端から連結部２５の上端縁の間に延びる縁部に一対の側縁２６Ｂ、２６Ｂが規定されている。
【００３６】
仕切板２６において、一の側縁２６Ｂから他の側縁２６Ｂまでの間の距離は、コアカバー４の後述の貫通孔４ａ（図３（ａ））の直径と略同一になるように構成され、仕切板２６の基部である連結部２５の上端縁から端縁２６Ａまでの距離は、図４に示されるように、コアカバー４の、後述の下面４１Ａから上側リブ部４２Ｂの上端縁までの距離と略等しくなるように構成されている。また仕切板２６においては、その板厚が、連結部２５の幅と等しくなるように構成されている。
【００３７】
一対の掛止部２７、２７は、それぞれ一の端子台２１と他の端子台２１とに設けられており、略同一形状を採るため、一の掛止部２７に設けられた係止部２７のみについて説明する。掛止部２７は、連結部２５を挟んで周方向の一端側と他端側とに連結部２５に接するように配置された掛止爪２７Ａと掛止爪２７Ｂとを含んで構成されている。掛止爪２７Ａ及び掛止爪２７Ｂは、それぞれ側壁部２２の内面から中心軸Ｚ側に向けて突出し、軸方向下側を向く下向面を備えるように構成されている。
【００３８】
コア３は、図１に示されるように、断面が略長方形（図４）となるような環状体のトロイダルコアであり、コアカバー４内に収容されている。尚コア３はコアカバー４内に収容されるため、特に絶縁性は必要とせず、導体、絶縁体のいずれの素材を基材としてもよい。
【００３９】
コアカバー４は、図３（ａ）〜（ｃ）に示されるように、中央に貫通孔４ａが形成されて、略環状体を成しており、コア収容部４１と一対の導線仕切部４２と一対の被掛止部４３とから主に構成され、コア収容部４１が上下二分割になるように、上下方向に分割可能に構成されている。またコアカバー４は、軸方向において下側と上側とが対称な形状に構成されると共に、中心軸Ｚ周りに１８０°回転させた時に同一形状を採るように構成されている。
【００４０】
コア収容部４１は、図３（ａ）に示されるように、断面が略長方形（図４）の環状体に構成され、内部にコア３を収容可能な空間が形成されるように構成されている。また図３（ａ）〜（ｃ）に示されるように、コア収容部４１の表面には、下端側に位置する下面４１Ａと、上端側に位置する上面４１Ｂと、貫通孔４ａを画成し下面４１Ａと上面４１Ｂとを接続する内周面４１Ｃと、下面４１Ａと上面４１Ｂとを接続する外周面４１Ｄとが規定されている。また一対の導線仕切部４２、４２により上面４１Ａ〜外周面４１Ｄは周方向で二分割されており、二分割された一方の領域に第一導線巻回領域４Ａが規定され、他方に第二導線巻回領域４Ｂが規定されている。
【００４１】
一対の導線仕切部４２、４２はそれぞれ同形状を成しており、コアカバー４の中心軸Ｚを挟んで反対に位置し、一の導線仕切部４２が第一導線巻回領域４Ａの周方向一端側と第二導線巻回領域４Ｂの周方向他端側とを区切り、他の導線仕切部４２が第一導線巻回領域４Ａの周方向他端側と第二導線巻回領域４Ｂの周方向一端側とを区切るように配置されている。一対の導線式リブ４２、４２は同形状であるので、一方の導線仕切部４２のみについて説明する。導線仕切部４２は、図３（ｂ）及び（ｃ）に示されるように、下面４１Ａから下側に向けて突出する下側リブ部４２Ａと、上面４１Ｂから上側に向けて突出する上側リブ部４２Ｂと、図３（ａ）に示されるように、内周面４１Ｃから中心軸Ｚに向けて突出する内周リブ部４２Ｃとが一連となって構成されている。図３（ｃ）に示されるように、下側リブ部４２Ａには、中心軸Ｚに対する半径方向に延びる下側溝４２ａが形成され、上側リブ部４２Ｂには中心軸Ｚに対する半径方向に延びる上側溝４２ｂが形成され、図３（ａ）に示されるように、内周リブ部４２Ｃには、軸方向に延びる内周側溝４２ｃが形成され、この下側溝４２ａ、内周側溝４２ｃ、上側溝４２ｂは一連になっている。
【００４２】
下側溝４２ａ及び上側溝４２ｂ内において、溝の底面はそれぞれ下面４１Ａ及び上面４１Ｂと面一であり、内周側溝４２ｃにおいても溝の底面は内周面４１Ｃと面一に成るように形成されている。また下側リブ部４２Ａ及び上側リブ部４２Ｂの下面４１Ａ及び上面４１Ｂからの突出量は、連結部２５の高さと等しくなるように構成されている。故に、下側溝４２ａ及び上側溝４２ｂの溝深さは、連結部２５の高さと等しくなる。また下側リブ部４２Ａ、内周リブ部４２Ｃ、上側リブ部４２Ｂは、下側溝４２ａ、内周側溝４２ｃ、上側溝４２ｂの幅が、連結部２５の幅と等しくなるように構成されている。
【００４３】
また上側リブ部４２Ｂにおいては、軸方向と直交する断面において、中心軸Ｚから半径方向外方に向かう方向で徐々に幅広になるように形状化されており、同様に下側リブ部４２Ａにおいても幅広になるように形状化されている。
【００４４】
図（ｂ）に示されるように、一対の被掛止部４３、４３は、それぞれ一の導線仕切部４２と他の導線仕切部４２とに対応した外周面４１Ｄに設けられており、略同一形状を採るため、一の被掛止部４３のみについて説明する。被掛止部４３は、外周面４１Ｄの下端位置において、下側溝４２ａを挟んで周方向の一端側と他端側とに下側リブ部４２Ａに接するように配置された被掛止爪４３Ａと被掛止爪４３Ｂとを含んで構成されている。被掛止爪４３Ａ及び被掛止爪４３Ｂは、それぞれ外周面４１Ｄから反中心軸Ｚ側に向けて突出し、軸方向上側を向く上向面を備えるように構成されている。また被掛止部４３には、外周面４１Ｄの上端位置に、軸方向と直交する平面を介して鏡面状に構成された疑似被掛止部４３Ｃ、疑似被掛止部４３Ｄを備えている。コアカバー４は上述のように上下対称な形状を採っているため、本実施の形態では特に使用しないが、製造時の利便性を考慮してこの様な構成を採っている。
【００４５】
第一導線５及び第二導線６は、いずれも絶縁体が被覆された被覆導線であり、図１に示されるように、それぞれ第一導線巻回領域４Ａ及び第二導線巻回領域４Ｂに巻回されてコイル５Ａ、６Ａを形成している。このコイル５Ａ、６Ａは、軸方向における上端及び下端が、それぞれ上側リブ部４２Ｂの上端縁及び下側リブ部４２Ａの下端縁と略同じ、若しくは軸方向において上側リブ部４２Ｂの上端縁及び下側リブ部４２Ａの下端縁より内方に位置するように巻回されている。第一導線巻回領域４Ａ及び第二導線巻回領域４Ｂは、一対の導線仕切部４２、４２によって仕切られているため、第一導線巻回領域４Ａに巻回された第一導線５と第二導線巻回領域４Ｂに巻回された第二導線６とが接触することは防がれ、短絡等を防止することができる。
【００４６】
コア収容部４１内にコア３を収容し、第一導線巻回領域４Ａ及び第二導線巻回領域４Ｂに第一導線５及び第二導線６を巻回してコイル５Ａ、５Ｂを形成した状態で、コアカバー４をベース部２に装着する。装着に際しては、一対の導線仕切部４２、４２のそれぞれの下側溝４２ａ、４２ａ内に連結部２５を収容し、それぞれの内周側溝４２ｃ、４２ｃ内に仕切板２６のそれぞれの側縁２６Ｂ、２６Ｂが収容されるようにベース部２にコアカバー４を組合せる。またコアカバー４の一対の被掛止部４３、４３がベース部２の一対の掛止部２７、２７を乗り越えて、被掛止爪４３Ａ、４３Ｂの上向面を掛止爪２７Ａ、２７Ｂの下向面と当接させる。この様な構成を採ることにより、コアカバー４がベース部２から脱落することが抑制される。また下側溝４２ａと連結部２５とが係合し、かつ内周側溝４２ｃと仕切板２６とが係合することにより、ベース部２に対するコアカバー４のぐらつき等が抑制され脱落を更に抑制することができる。
【００４７】
コアカバー４のベース部２への装着と同時、若しくは前後して第一導線５の両端及び第二導線６の両端を一対の端子台２１、２１に装着する。具体的には、図１に示されるように、第一導線５の一端近傍を第一導線巻回領域４Ａに隣接する一の端子台２１の第一継線用凹部２３ａに挿入し一端を平板部２３から下方に垂下させ、他端近傍を第一導線巻回領域４Ａに隣接する他の端子台２１の第二継線用凹部２３ｂに挿入し他端を平板部２３から下方に垂下させている。同様に第二導線６の一端近傍を他の端子台２１の第一継線用凹部２３ａに挿入し一端を平板部２３から下方に垂下させ、他端近傍を一の端子台２１の第二継線用凹部２３ｂに挿入し他端を平板部２３から下方に垂下させている。それぞれの第一継線用凹部２３ａ、第二継線用凹部２３ｂは上述のように第一導線５、第二導線６の外径より狭いため、単に第一導線５、第二導線６をそれぞれの第一継線用凹部２３ａ、第二継線用凹部２３ｂに挿入することにより、端子台２１、２１で第一導線５、第二導線６を確実に保持することができる。
【００４８】
ベース部２にコアカバー４が装着され、第一導線５及び第二導線６が端子台２１、２１に継線された状態でラインフィルタ１が完成する。このラインフィルタ１においては、上述のように、連結部２５が下側リブ部４２Ａの下側溝４２ａ内に収容されることによりコアカバー４がベース部２に装着される。この状態では、図４に示されるように、導線仕切部４２が設けられたコアカバー４の一端側端部である下側リブ部４２Ａの突出方向先端縁とベース部２の一端側端部である連結部２５の下端縁とが同一平面上にあるため、ラインフィルタ１の一端側端部とコアカバー４の一端側端部とを同一平面上とすることができる。よってコアカバー４が装着されるベース部２の肉厚がラインフィルタ１の上背に含まれることが無く、ラインフィルタ１の上背をコアカバー４の上背により定めることができ、ラインフィルタ１の低背化を図ることができる。
【００４９】
またラインフィルタ１では、コアカバー４をベース部２に装着する際に、内周リブ部４２Ｃの内周側溝４２ｃと仕切板２６の側縁２６Ｂとが係合する構成を採る。特に仕切板２６の一の側縁２６Ｂから他の側縁２６Ｂまでの距離は貫通孔４ａの直径と略等しいため、溝の底面が内周面４１Ｃと面一であり溝の幅が仕切板２６の厚さと略等しい内周側溝４２ｃと、仕切板２６とは隙間ができない状態で係合する。よって連結部２５と導線仕切部４２の下側リブ部４２Ａとの係合と相俟って、内周側溝４２ｃと側縁２６Ｂとが係合することにより確実にベース部２にコアカバー４を装着することができる。また、仕切板２６及び導線仕切部４２はそれぞれ第一導線巻回領域４Ａと第二導線巻回領域４Ｂとの異なる巻回領域に巻回された第一導線５、第二導線６を仕切っているが、内周側溝４２ｃと側縁２６Ｂとの間に隙間ができないように内周リブ部４２Ｃと仕切板２６とが係合するため第一導線５から第二導線６までの間の沿面距離を稼ぐことができ、より確実に隣り合う導線間の絶縁を図ることができる。
【００５０】
また下側リブ部４２Ａの突出量は、連結部２５の高さと等しく成るように最適化されている。具体的には、下側溝４２ａ内に連結部２５を収容可能な最低限の突出量になるように構成されているため、下面４１Ａからの突出量を抑えられる。上述のようにラインフィルタ１の上背は、コアカバー４の上背に起因するため、この様な構成を採ることによりラインフィルタ１の低背化を更に図ることができる。
【００５１】
またコアカバー４は、上下方向において対称となる構成を採っているため、製造時にコアカバー４の上下を考慮する必要が無く、製造を簡略化することができる。また上側リブ部４２Ｂも下側リブ部４２Ａと同様の突出量を採るように構成されているため、導線仕切部４２が設けられたコアカバー４の下側から上側までの距離を最大限短くすることができる。故にラインフィルタ１の低背化を更に図ることができる。
【００５２】
また仕切板２６は、上述のように連結部２５から端縁２６Ａまでの距離が、下面４１Ａから上側リブ部４２Ｂの上端縁までの距離と略等しくなるように構成されているため、図４に示されるように、上下方向における端縁２６Ａの位置が上側リブ部４２Ｂの上端縁と略等しくなる。故に仕切板２６がコアカバー４より上側に突出することが抑制されるので、ラインフィルタ１の低背化を更に図ることができる。
【００５３】
また掛止部２７が連結部２５を挟んで周方向の一端側と他端側とに連結部２５に接するように配置され、被掛止部４３がこの掛止部２７と掛止するように構成されることにより、掛止部２７及び被掛止部４２がラインフィルタ１から出っ張ることがない状態で、コアカバー４をベース部２に装着することができる。また端子台２１の連結部２５が接続される箇所に掛止部２７を設けることにより、被掛止部４２への掛止部２７の掛止と連結部２５への下側溝４２ａ内への係合とを相互補完させ、コアカバー４のベース部２への装着強度を増すことができる。
【００５４】
またベース部２においては、一対の端子台２１、２１を接続する一対の接続部２４、２４を備えており、この接続部２４、２４により、ベース部２の強度を増すことができる。またコアカバー４に沿って接続部２１、２１が配置されるため、接続部２１、２１によりコアカバー４を保護することができる。
【００５５】
また導線仕切部４２は、上述のように中心軸Ｚから外側に向かう方向で徐々に幅広になるように形状化されているので、コアカバー４において環状体の外周位置での隣り合う第一導線５と第二導線６との間の絶縁距離を確実に確保することができる。更に導線仕切部４２が幅広に形状化されることにより、被掛止部４３が接する下側リブ４２Ａの外周面４１Ｄ側を幅広になる。上述のように、被掛止部４３は、外周面４１Ｄで下側リブ部４２Ａに接するように構成されているが、この接する部分が幅広になることにより、被掛止部４３を配置できる位置を大きく採ることができ、被掛止部４３の設置の自由度を増すことができる。また被掛止部４３を大きくすることができる。
【００５６】
また第一導線６及び第二導線６のそれぞれの両端は、平板部２３からそれぞれ垂下するように構成されているが、この様な構成によると、第一導線６及び第二導線６のそれぞれの両端を、図示せぬ基板に電気的接続される端子ピンとして用いることができる。故に新たに端子ピン等を設ける必要が無く、ラインフィルタ１の構造を簡略化することができる。
【００５７】
本発明によるコイル部品は上述の実施の形態に限定されず、特許請求の範囲に記載された範囲で種々の改良や変形が可能である。例えば本実施の形態では二本の導線を用いた場合について説明したが、これに限らず三本の導線を用いてもよい。この場合には、リング状のコアカバーを周方向に三等分してコイルを形成し、そのコイルの間に導線仕切部及び仕切板が配置されるように構成すればよい。
【００５８】
また図５に示されるようなベース部１０２を用いたラインフィルタ１０１であってもよい。図５に示される構成においてコアカバー４、第一導線５、第二導線６に係る構成は、図１等に示されるコアカバー４等と同様な構成を採っており、詳細な説明は省略する。またベース部１０２においても、基本的な構成は図１等に示されるベース部２と同じであるため、差異部分のみについて説明する。ベース部１０２の一対の端子台１２１において、一の端子台１２１の平板部１２３には、第一継線用凹部１２３ａ近傍であって第一継線用凹部１２３ａと導線仕切部４１との間に第一導線５の一端側部分の上方への移動を規制する第一規制部材１２３Ａが設けられており、第二継線用凹部１２３ｂ近傍であって第二継線用凹部１２３ａと導線仕切部４１との間に第二導線６の他端側部分の上方への移動を規制する第二規制部材１２３Ｂが設けられている。
【００５９】
具体的には、第一規制部材１２３Ａ、第二規制部１２３Ｂの両方は、いずれも平板部１２３と平行に延びる腕部を備えており、第一導線５と第二導線６とがそれぞれの腕部と平板部１２３との間を通るように配線し、その後に第一継線用凹部１２３ａ、第二継線用凹部１２３ｂに継線している。
【００６０】
また仕切板１２６において端縁１２６Ａは、平板部１２３と平行かつ仕切板１２６の板厚よりも幅広な平面を含んで構成されており、この平面に捺印等が可能になっている。
【００６１】
上述したように、第一継線用凹部１２３ａ、第二継線用凹部１２３ｂにて継線された第一導線５及び第二導線６のそれぞれの端部は、平板部１２３から垂下されて端子ピンとしての役割を果たしている。しかし、端子ピンとしての役割を果たす第一導線５及び第二導線６のそれぞれの端部は、単に第一継線用凹部１２３ａ、第二継線用凹部１２３ｂに挿入されているだけであって過度の拘束は受けていないため、図示せぬ基板への実装時に第一継線用凹部１２３ａ、第二継線用凹部１２３ｂから抜けてしまうおそれがある。しかし、第一規制部材１２３Ａ、第二規制部材１２３Ｂにより、第一導線５及び第二導線６のそれぞれの端部の上方への移動が規制されているため、第一導線５及び第二導線６のそれぞれの端部が端子ピンとして確実に機能することができる。
【符号の説明】
【００６２】
１・・ラインフィルタ  ２・・ベース部  ２ａ・・収容空間  ３・・コア
４・・コアカバー  ４Ａ・・第一導線巻回領域  ４Ｂ・・第二導線巻回領域
４ａ・・貫通孔  ５・・第一導線  ５Ａ・・コイル  ６・・第二導線  ６Ａ・・コイル
２１・・端子台  ２２・・側壁部  ２３・・平板部  ２３ａ・・第一継線用凹部
２３ｂ・・第二継線用凹部  ２４・・接続部  ２４Ａ・・リブ  ２５・・連結部
２６・・仕切板  ２６Ａ・・端縁  ２６Ｂ・・側縁  ２７・・掛止部  ２７Ａ・・掛止爪
２７Ｂ・・掛止爪  ４１・・コア収容部  ４１Ａ・・下面  ４１Ｂ・・上面
４１Ｃ・・内周面  ４１Ｄ・・外周面    ４２・・導線仕切部  ４２Ａ・・下側リブ部
４２Ｂ・・上側リブ部  ４２Ｃ・・内周リブ部  ４２ａ・・下側溝  ４２ｂ・・上側溝
４２ｃ・・内周側溝  ４３・・被掛止部  ４３Ａ・・被掛止爪  ４３Ｂ・・被掛止爪
４３Ｃ・・疑似被掛止部  ４３Ｄ・・疑似被掛止部
【図１】
2011066217.tif 000003
【図２】
2011066217.tif 000004
【図３】
2011066217.tif 000005
【図４】
2011066217.tif 000006
【図５】
2011066217.tif 000007